(57)【特許請求の範囲】
【請求項１】
耕耘軸に取付けた耕耘爪によって耕起した複数条の耕起溝にそれぞれ播種するように構成した部分耕耘直播装置において、前記耕耘軸に、排水溝を作耕するための排水溝作耕手段を設けるにあたり、排水溝作耕手段は、作耕用のディスクであり、排水溝は、耕起溝同志のあいだに形成されることを特徴とする部分耕耘直播装置。
【発明の詳細な説明】
【技術分野】
【０００１】
本発明は、不耕起状態の圃場を部分的に耕起して複数条の耕起溝を形成すると共に、該各耕起溝にそれぞれ播種を行う部分耕耘直播装置の技術分野に属するものである。
【背景技術】
【０００２】
一般に、不耕起状態の圃場を部分的に耕起して複数条の耕起溝を作耕し、これら耕起溝に播種をし、また必要において施肥まで行う部分耕耘直播装置において、耕耘軸に植設された爪ホルダを介して取り付けた耕耘爪の回転によって耕起していた（例えば特許文献１参照）。
【特許文献１】特開２００１−２９９０３０号公報
【発明の開示】
【発明が解決しようとする課題】
【０００３】
ところが前記従来のものは、耕起溝を作耕し、直播するものであるため、雨が降った場合に、該雨は不耕起面での吸収が悪いため、不耕起面から耕起溝に流れ込んで覆土を流してしまうだけでなく、ひどいときには種や肥料の流出までをも招来するという問題があり、ここに本発明が解決せんとする課題がある。
【課題を解決するための手段】
【０００４】
本発明は、上記の如き実情に鑑みこれらの課題を解決することを目的として創作されたものであって、請求項１の発明は、耕耘軸に取付けた耕耘爪によって耕起した複数条の耕起溝にそれぞれ播種するように構成した部分耕耘直播装置において、前記耕耘軸に、排水溝を作耕するための排水溝作耕手段を設けるにあたり、排水溝作耕手段は、作耕用のディスクであり、排水溝は、耕起溝同志のあいだに形成されることを特徴とする部分耕耘直播装置である。
【発明の効果】
【０００５】
請求項１の発明とすることにより、耕起溝の作耕と同時に排水溝の作耕もできることになって作業性が向上すると共に、耕起溝を雨から保護することができると共に、作耕された排水溝を、溝側面が固く締まったものにできて排水溝が早期のうちに崩れてしまうことを回避できる。また耕起溝の雨からの保護をより確実にできることになる。
【発明を実施するための最良の形態】
【０００６】
次ぎに、本発明の実施の形態について図面に基づいて説明する。図中、１はトラクタ等の牽引走行車に昇降リンク機構を介して連結される部分耕耘直播装置であって、該部分耕耘直播装置１は、耕耘ユニット２と、該耕耘ユニット２から後方に突出したツールバー３にホルダ４および平行リンク機構５を介して昇降可能に連結した播種ユニット６とを備えて構成されている。
【０００７】
耕耘ユニット２は、トラクタ等の牽引走行車側からＰＴＯ動力が入力されるギアケース７と、該ギアケース７の左右両側に位置して耕耘ユニット２の横伝動筒を兼ねる左右のアーム８とを備え、左右方向一方（本実施の形態では左側）アーム８の外端（左端）には伝動ケースであるチエンケース９が設けられ、他方のアーム８には図示しないサイドプレートが取付けられている。そしてチエンケース９およびサイドプレートのあいだには、後述するように耕耘爪１０が爪ホルダ１１を介して取付けられた耕耘軸１２が回転可能に軸支した所謂サイドドライブタイプの伝動機構を本実施の形態では採用している。そして耕耘ユニット２のリヤカバー２ａの後方には耕深調節用の尾輪１３をツールバー３に支持している。
【０００８】
一方、播種ユニット６は、稲や麦等の種子を収容する種子タンク１４と、該種子タンク１４に収容した種子を播種する播種部１５と、播種溝形成用の溝切り刃１６と、播種溝を覆土する覆土板１７と、播種溝の上面を鎮圧する鎮圧ローラ１８と、接地輪１９とを備えて構成されている。
そして耕耘爪１０で作耕した耕起溝Ｕをリヤカバー２ａで埋め戻した後、該埋め戻した耕起溝Ｕの一部に溝切り刃１６で播種溝を形成し、該播種溝に播種、覆土、そして鎮圧をすることで部分耕起直播が実行されるようになっている。
【０００９】
前記耕耘軸１２には、複数条の耕起溝Ｕを所定の間隔を存して部分耕起すべく対応する位置に耕耘爪１０を取付けるための爪ホルダ１１が軸回り方向に複数取付けられているが、爪ホルダ１１は、耕起溝Ｕの幅中心Ｏに対して左右にオフセット（振り分け）される状態で軸回り方向左右交互に放射状に取り付けられている。つまり一つの耕起溝Ｕを形成するための爪ホルダ１１は、耕起溝Ｕの溝幅中心Ｏを基準（中心）として左側に寄って左側爪ホルダ１１Ｌと、右側に寄っている右側爪ホルダ１１Ｒとが交互に軸周り方向位置をずらせて設けられており、これによって左右爪ホルダ１１Ｌ、１０Ｒの基部が側面視で互いにオーバーラップする状態で取付けられ、これによって爪ホルダ１１の取付け本数を増加できる配慮がなされている。
【００１０】
そして前記各爪ホルダ１１に、背面視（正面視でも良い）で先端部が左右方向一方に折曲した折曲部１０ａを有する耕耘爪（耕耘刃）１０が取付けられるが、この場合に、図２、３に示す第一の実施の形態のものでは、耕耘爪１０は、前記折曲部１０ａが溝幅中心Ｏを向く内向きになるものと、溝幅中心Ｏとは反対側を向く外向きになるものとが左右の爪ホルダ１１Ｌ、１１Ｒにそれぞれ設けられている。つまり本実施の形態では、４本ある左側爪ホルダ１１Ｌのうち、３本の爪ホルダ１１Ｌには折曲部１０ａｏが外向き（図２において折曲部１０ａが左側（溝幅中心Ｏとは逆側）を向く状態）になるようにして耕耘爪１０Ｌｏが取付けられ、１本の爪ホルダ１１Ｌには折曲部１０ａｉが内向き（図２において折曲部１０ａが右側（溝幅中心Ｏ側）を向く状態）になるようにして耕耘爪１０Ｌｉが取付けられている。
【００１１】
これに対し、４本ある右側爪ホルダ１１Ｒのうち、３本の爪ホルダ１１Ｒには折曲部１０ａが外向き（図２において折曲部１０ａが右側（溝幅中心Ｏとは逆側）を向く状態）になるようにして耕耘爪１０Ｒｏが取付けられ、１本の爪ホルダ１１Ｌには折曲部１０ａが内向き（図２において折曲部１０ａが左側（溝幅中心Ｏ側）を向く状態）になるようにして耕耘爪１０Ｒｉが取付けられている。
そして主に、外向きの耕耘爪１０で耕起溝Ｕの溝側面と溝底面とを作耕することになるが、耕耘爪１０について外向きだけとした場合、オフセットした左右耕耘爪１０Ｌ、１０Ｒのあいだが空いてしまうため耕耘不足となった残耕部Ｗがリブ状に形成されてしまうことになり、そこでこの残耕部Ｗを、内向きの耕耘爪１０の折曲部１０ａを、オフセット配置される外向きの耕耘爪１０の折曲部１０ａと側面視において重合させて耕耘するようになっている。
【００１２】
因みに、図６に耕耘爪１０について方向を変えて取付けた場合に作耕される耕起溝Ｕの例について図示するが、（Ａ）のものは、前述したように左右の耕耘爪１０Ｌ、１０Ｒをそれぞれ外側に向けて耕起した場合の耕起溝であって、最も幅広の耕起溝となる。これに対し、（Ｂ）のものは左右の耕耘爪１０Ｌ、１０Ｒをそれぞれ内向きに取り付けた場合の耕起溝であって、最も幅狭な耕起溝Ｕとなる。これに対し（Ｃ）（Ｄ）のものは、左右の耕耘爪１０Ｌ、１０Ｒの向きを内向き、外向きにしたものと、逆に外向き、内向きにしたものであって、耕起溝Ｕの溝幅が前記（Ａ）（Ｂ）の耕起溝Ｕの溝幅の中間で同じになるが、耕起溝Ｕが形成される位置が、右側爪ホルダ１１Ｒ側に偏倚しているか、左側爪ホルダ１１Ｌ側に偏倚しているかの違いが生じる。
【００１３】
また本実施の形態では、６条の耕起溝Ｕを形成するようになっているが、そのうちの左右中央位置の耕起溝Ｕ間には排水溝Ｘを作耕するための排水溝形成用爪２０が参考例として排水溝形成用爪ホルダ２１を介して取付けられている。この爪ホルダ２１も左右にオフセットされているが、本実施の形態では耕耘爪用の爪ホルダ１１よりも本数が少ない設定になっている。そして排水溝形成用爪２０は、折曲部２０ａが何れも内向きとなるようにして取付けられるが、これは作耕された排水溝Ｘの溝側面Ｙが、排水溝形成用爪２０の爪基端部２０ｂによって恰もコテで撫で付けられて固く締まる状態で形成され、これによって排水溝Ｘの溝側面Ｙが早期のうちに崩れ落ちてしまわないよう配慮されている。尚、排水溝Ｘを形成する場合、排水溝形成手段としては前記実施の形態のように参考例である爪体でなく、図５に示す本発明の実施の形態であるディスク体２２を採用してもコテで撫で付けられた状態になって良いことは勿論である。また、排水溝Ｘは、各耕起溝Ｕのあいだに形成したり、耕起溝Ｕの一つおきに形成する等、必要において形成場所や数を設定できることは言うまでもない。
【００１４】
叙述の如く構成されたものにおいて、複数の耕起溝Ｕを耕起した後、播種、覆土そして鎮圧をするという部分耕耘直播を行うことになるが、この場合に、耕耘軸８には、耕耘爪１０に加えて排水溝Ｘ形成用の爪２０が耕起溝Ｕのあいだに位置するようにして設けられていて、耕起溝Ｕの耕起と同時に排水溝Ｘも作耕できることになる。この結果、雨が降ったような場合に、地表面に溜まった雨水を排水溝Ｘに誘導して排水することができ、耕起溝Ｕが水浸しになってしまうことを回避することができる。しかも排水溝Ｘは、耕起溝Ｕ同志のあいだに耕起溝Ｕと同時に作耕できるため、作業性が向上するだけでなく、後作業で排水溝を形成する場合のように耕起溝Ｕに沿わせて形成するという面倒な作業や、作物を傷付けてしまうようなことも回避される。
【００１５】
しかもこの場合に、排水溝作耕手段としては、作耕用のディスク体でよく、汎用性が高いものとなり、そしてディスク体とした場合には、排水溝Ｘの溝側面を押し固めた強い状態にできる結果、排水溝Ｘが早期のうちに崩れてしまうことを防止できることになる。
【００１６】
そしてこのような排水溝Ｘを形成するにあたり、排水溝Ｘは、深さを耕起溝Ｕより浅くしても深くしてもよく、また溝幅についても、耕起溝Ｕよりも狭くしても広くしてもよく、これらは必要において適宜選択できることは言うまでも無い。
【図面の簡単な説明】
【００１７】
【図１】部分耕耘直播装置の側面図である。
【図２】爪ホルダと耕耘爪の配設状態を示す背面図である。
【図３】爪ホルダと耕耘爪の配設状態を示す側面図である。
【図４】参考例として排水溝成形用爪を設けた耕耘軸の背面図である。
【図５】排水溝成形用ディスクを設けた耕耘軸の背面図である。
【図６】（Ａ）〜（Ｄ）は耕耘爪の取り付けの変形例を示す背面図である。
【符号の説明】
【００１８】
１    部分耕耘直播装置
８    耕耘軸
１０    耕耘爪
１１    爪ホルダ
２０    排水溝形成用爪
２１    爪ホルダ
２２    排水溝形成用ディスク
【図１】
0004553858.tif 000002
【図２】
0004553858.tif 000003
【図３】
0004553858.tif 000004
【図４】
0004553858.tif 000005
【図５】
0004553858.tif 000006
【図６】
0004553858.tif 000007